(57)【要約】競技者の技術を上達させる装置は、少なくともその一方が弾力性があり張力がかかった、２本の広がるガイドラインを備える。往復動ラインが、２本のガイドライン間に延び、各ガイドラインに連結され、その長さはガイドラインの最小間隔と同じかまたはそれより長く、ガイドラインの最大間隔より短い。ボールは、往復動ラインに連結され、この往復動ラインとほぼ同軸である。その配置は、ボールを打つと、２本のガイドライン間の間隔が増大し、１本または２本の弾力性ガイドラインが伸張することにより生じる、ライン上に加えられる力によりさらに移動するのが抑止されるまで、往復動ラインがボールとの連結によりガイドラインに沿ってその広がる方向に移動するように構成されている。ボールおよび往復動ラインは往復動ラインと１本または２本の弾力性ガイドラインの間に発生する反力によりガイドラインに沿ってその広がる方向にその出発位置（またはその付近の位置）に戻る。
2004513753.tif 000002
【特許請求の範囲】
【請求項１】
少なくとも一方が弾力性を有し、且つ、張力がかかった２本の広がるガイドラインと、前記ガイドライン間に延び、各ガイドラインに連結された往復動ラインであって、その長さが、前記ガイドラインの最小間隔と同一またはそれより長く、且つ、前記ガイドラインの最大間隔より短いところの往復動ラインと、前記往復動ラインに連結され、且つ、前記往復動ラインと実質的に同軸であるボールとを備えた、競技者の技術を上達させる装置であって、ボールを打つと、前記ガイドライン間の間隔が増大し、弾力性を有する前記ガイドラインが伸張することにより生じる、前記往復動ラインに加えられる力によって更なる移動が抑止されるまで、前記往復動ラインが前記ボールとの連結により前記ガイドラインに沿ってその広がる方向に移動し、前記ボールおよび往復動ラインが、前記往復動ラインと弾力性を有する前記ガイドラインとの間に発生する反力によって、前記ガイドラインに沿って、その広がる方向においてその出発位置（またはその付近の位置）に戻るように構成されている装置。
【請求項２】
双方のガイドラインが、弾力性を有し、且つ、張力がかかっている、請求項１に記載の装置。
【請求項３】
前記ガイドラインのうちの一方のみが弾力性を有する、請求項２に記載の装置。
【請求項４】
前記ガイドラインが並んで配置される、請求項１乃至３のいずれか１つに記載の装置。
【請求項５】
一方のガイドラインが、他方のガイドラインの高さより高い地表面上の高さに配置される、請求項１から３のいずれか１つに記載の装置。
【請求項６】
前記往復動ラインが、実質的に弾力性を有しない材料から形成される、請求項１乃至５のいずれか１つに記載の装置。
【請求項７】
傾斜して広がり、並んで配置された、弾力性を有し、且つ、張力がかかった２本のガイドラインであって、地表面上の前記ガイドラインの高さが増加するにしたがって増加する距離だけ離れたところのガイドラインと、前記ガイドライン間に延び、各ガイドラインに連結された往復動ラインであって、その長さが、前記ガイドラインの最小間隔と同一またはそれより長く、且つ、前記ガイドラインの最大間隔より短いところの往復動ラインと、前記往復動ラインに連結され、且つ、前記往復動ラインと実質的に同軸であるボールとを備えた、競技者の技術を上達させる装置であって、競技者がボールを打つと、前記ガイドライン間の間隔が増大し、弾力性を有する前記ガイドラインが伸張するにつれて、前記往復動ラインに加えられる張力によって更なる移動が抑止されるまで、前記往復動ラインが前記ボールとの連結により、弾力性を有し且つ広がる前記ガイドラインに沿って上向きに移動し、弾力性を有する前記ガイドラインが比較的伸張していない位置に戻る際に生じる力によって、前記ボールがその出発位置（またはその付近の位置）に戻るように構成されている装置。
【請求項８】
２本の広がるガイドラインであって、前記ガイドラインのうちの少なくとも一方の地表面上の高さが増加するにしたがって増加する距離だけ離れており、前記ガイドラインの一方が他方の上に配置され、少なくとも一方は弾力性を有し、且つ、張力がかかったガイドラインと、前記ガイドライン間に延び、各ガイドラインに連結された往復動ラインであって、その長さが、前記ガイドラインの最小間隔と同一またはそれより長く、且つ、前記ガイドラインの最大間隔より短いところの往復動ラインと、前記往復動ラインに連結され、且つ、前記往復動ラインと実質的に同軸であるボールとを備えた、競技者の技術を上達させる装置であって、競技者が、前記ガイドラインの最小間隔の位置またはその付近の位置における打撃位置でボールを打つと、更なる移動が抑止されるまで、前記往復動ラインが、前記ボールとの連結により前記ガイドラインに沿って、その広がる方向に移動し、次いで、前記ガイドラインに沿って、その広がる方向に競技者の所（またはその付近）まで戻るように構成されている装置。
【請求項９】
前記ガイドラインが互いに離れている、請求項１乃至８のいずれか１つに記載の装置。
【請求項１０】
ガイドラインの一方が、他方のガイドラインの延長線を含む、請求項１乃至８のいずれか１つに記載の装置。
【請求項１１】
２本のガイドラインの各々の一方の端部が、アンカを介して地面に固定される、請求項１乃至１０のいずれか１つに記載の装置。
【請求項１２】
２本のガイドラインの各々の他方の端部が、安定支柱に取り付けられる、請求項１１に記載の装置。
【請求項１３】
前記往復動ラインが、ヒンジ式クリップ、リング、ロープ・スライドまたは調節可能ループを備える摺動部材を介してガイドラインに連結される、請求項１乃至１２のいずれか１つに記載の装置。
【請求項１４】
各ガイドラインの張力を変えるための緊張手段が設けられる、請求項１乃至１３のいずれか１つに記載の装置。
【請求項１５】
前記緊張手段が、アンカまたは支柱に連結されたリールを備える、請求項１４に記載の装置。
【請求項１６】
前記ボールは、前記往復動ラインが通過することができる、軸方向に延びる穴を備える、請求項１乃至１５のいずれか１つに記載の装置。
【請求項１７】
前記ボールの前記往復動ラインに沿った望ましくない横移動を防ぐための止め具が、前記往復動ライン上に設けられる、請求項１６に記載の装置。
【請求項１８】
前記ボールの各側部がコードに取り付けられ、前記コードがスイベルを介して前記往復動ラインに連結される、請求項１から１５のいずれか１つに記載の装置。
【請求項１９】
前記ボールが、擬似ゴルフ・ボール、擬似テニス・ボールまたは擬似野球ボールである、請求項１乃至１８のいずれか１つに記載の装置。
【発明の詳細な説明】
【０００１】
【発明の属する技術分野】
本発明は、ボールまたは同様の投射物（これ以下「ボール」と称する）を打つおよび／または打ち上げる必要があるゴルフ、野球、テニス、クリケットまたは同様の球技用練習装置に関する。より詳細には、それに限るものではないが、本発明はこのようなスポーツの参加者の技術を上達させる装置に関する。
【０００２】
【従来の技術】
競技スポーツの分野において、「習うより慣れよ」はよく知られている格言である。したがって、例えば、ゴルフ選手はとりわけ自分のゴルフ・スイング、野球選手は自分の打撃力、またテニス選手は自分のストロークの向上に多くの時間を費やす。
【０００３】
その他の球技スポーツには、いくつかの活気のない練習用シミュレータが用意されており、それにはとりわけ弾力性のあるより糸、紐またはロープによって、ある形の中心支柱に取り付けられたボールが含まれる。このような練習用シミュレータは、ボールが非現実的な角度および速度で競技者に接近するので、満足のいくものではない。さらに、ボールを打ち損なうと、弾力性のあるより糸、紐またはロープが支柱の周りに不都合に絡みつくことになる。
【０００４】
子供も球技を楽しむが、指導を受けなければ、技術が上達する機会が少なくなる。さらに、何の制限もなく球技をするのに十分なスペースがあり、家および車から解放されている子供はあまりいない。
【０００５】
米国特許第４，１３８，１０７号は、剛性レールに沿って移動する台車部材に両端部が連結した弾力性のある縄に連結されたボールを備えた球技練習装置に関する。
【０００６】
米国特許第３，６３０，５２１号は、野球のバッティング練習装置に関する。また、ボールは上部および下部支持ワイヤに摺動可能に結合された弾力性コードに連結される。これらのどちらの開示でも、ボールに対する縄の弾力性のある性質により、競技者が打つと、ボールはいくらか制御されない横移動をすることが可能である。
【０００７】
英国特許第２０１６４５号は、ボールを、地面にしっかり固定された飛行制動トラックに摺動可能にしっかり固定した、ゴルフ練習装置に関する。このトラックは１対の広がる非伸縮性ワイヤを備え、これらのワイヤにはワイヤの最大広がりより短い長さの横コードにより、ボールが摺動可能に連結される。これらのワイヤは協動して、人が装置を使用するボールの位置から離れた場所に横コードを配置する。
【０００８】
【発明が解決しようとする課題】
このような装置には全て、いくつかの不都合がある。このような装置の多くに付随する主な不都合は、ボールがボールを打つ人の所に自動的かつ安全に戻ってこないということである。この所望の目的は、本発明による装置によって達成され、それによってゴルフ、野球、およびテニスなどのスポーツの通常の練習を行うことができない制限された領域ででも、装置を安全に使用することが可能になる。
【０００９】
【課題を解決するための手段】
したがって、一様態では、本発明は、少なくとも一方が弾力性を有し、且つ、張力がかかった２本の広がるガイドラインと、２本のガイドライン間に延び、各ガイドラインに連結された往復動ラインであって、その長さが、ガイドラインの最小間隔と同一またはそれより長く、且つ、ガイドラインの最大間隔より短いところの往復動ラインと、往復動ラインに連結され、且つ、この往復動ラインと実質的に同軸であるボールとを備えた、競技者の技術を上達させる装置を提供する。ボールを打つと、２本のガイドライン間の間隔が増大し、弾力性を有するガイドラインが伸張することにより生じる、往復動ラインに加えられる力によって更なる移動が抑止されるまで、往復動ラインはボールとの連結によりガイドラインに沿ってその広がる方向に移動し、ガイドラインに沿ってその広がる方向に、往復動ラインと弾力性を有するガイドラインとの間に発生した反力によって、ボールおよび往復動ラインはその出発位置（またはその付近の位置）に戻るように構成されている。
【００１０】
ガイドラインは両方とも弾力性を有し、且つ、張力がかかっていることが好ましい。あるいは、ガイドラインの一方だけが弾力性を有しており、他方のガイドラインは、例えば、非伸縮性ライン、レールなどである。
【００１１】
ガイドラインを横に並べてまたは上下に配置することができる。後者の場合、一方のガイドラインだけが弾力性を有する場合、弾力性を有するガイドラインは非伸縮性ガイドラインの下に配置することが好ましい。
【００１２】
往復動ラインを実質的に弾力性を有しない材料から形成することが好ましい。「弾力性を有しない」という用語は、打撃時の伸びおよび長さの変化が著しく制限される材料のことを言う。
【００１３】
他の様態では、本発明は、傾斜して広がり、並んで配置された、弾力性を有し、且つ、張力がかかった２本のガイドラインであって、地表面上のガイドラインの高さが増加するにしたがって増加する距離だけ離れたところのガイドラインと、ガイドライン間に延び、各ガイドラインに連結された往復動ラインであって、その長さが、ガイドラインの最小間隔と同一またはそれより長く、且つ、ガイドラインの最大間隔より短いところの往復動ラインと、往復動ラインに連結され、且つ、往復動ラインと実質的に同軸であるボールとを備えた、競技者の技術を上達させる装置を提供する。競技者がボールを打つと、ガイドライン間の間隔が増大し、弾力性を有する前記ガイドラインが伸張するにつれて、往復動ラインに加えられる張力によって更なる移動が抑止されるまで、往復動ラインがボールとの連結により、弾力性を有し且つ広がるガイドラインに沿って上向きに移動し、弾力性を有するガイドラインが比較的伸張していない位置に戻る際に生じる力によって、ボールがその出発位置（またはその付近の位置）に戻るように構成されている。
【００１４】
本発明に係る他の様態では、２本の広がるガイドラインであって、ガイドラインのうちの少なくとも一方の地表面上の高さが増加するにしたがって増加する距離だけ離れており、ガイドラインの一方が他方の上に配置され、少なくとも一方は弾力性を有し、且つ、張力がかかったガイドラインと、ガイドライン間に延び、各ガイドラインに連結された往復動ラインであって、その長さが、ガイドラインの最小間隔と同一またはそれより長く、且つ、ガイドラインの最大間隔より短いところの往復動ラインと、往復動ラインに連結され、且つ、往復動ラインと実質的に同軸であるボールとを備えた、競技者の技術を上達させる装置が提供される。競技者が、ガイドラインの最小間隔の位置またはその付近の位置における打撃位置でボールを打つと、更なる移動が抑止されるまで、往復動ラインが、ボールとの連結によりガイドラインに沿って、その広がる方向に移動し、次いで、ガイドラインに沿って、その広がる方向に競技者の所（またはその付近）まで戻るように構成されている。
【００１５】
複数のガイドラインは互いに離れていてもよい。あるいは、一方のガイドラインが他方のガイドラインの延長線を含んでいてもよい。本明細書によれば、後者の場合において、これらのガイドラインを２本のガイドラインとして記載する。
【００１６】
２本のガイドラインの各々の一方の端部は、通常は、例えば棒または地面ピンを含むアンカを介して地面に、あるいは安定支柱に固定してもよい。２本のガイドラインの各々の他方の端部は、通常は、安定支柱に取り付けられる。安定支柱は壁面、枠または柱を備えていてもよい。
【００１７】
要求されるスイングまたはストロークの種類および／または難易度、または練習の目的に利用できる間隔を変更するために、ガイドラインの長さおよび／または地表面上の傾斜角度を変更することができる。
【００１８】
往復動ラインは、ヒンジ式クリップ、リング、ロープ・スライドまたは調節可能ループを備える摺動部材を介してガイドラインに連結されてもよい。このような連結を行うためには、連結が使用中に加えられる力、磨耗、および裂けに耐えるのに十分なほど強固であり、摩擦力が最小限になることが重要である。
【００１９】
一実施形態では、一方または両方のガイドラインおよび／または往復動ラインは、低摩擦材料から形成される。ガイドラインおよび往復動手段を、同一材料から形成してもよい。
【００２０】
各ガイドラインの張力を変える緊張手段を、設けることができる。この手段は、それぞれのアンカまたは支柱に連結されたリールを備えていてもよい。
【００２１】
ボールと往復動ラインとの間の連結により、ボールをラインに対して回転させることを許容することが好ましい。したがって、ボールはラインがそれを通過することができる軸方向に延びる穴を備えていてもよい。このような構成においては、ボールの往復動ラインに沿った望ましくない横移動を防ぐ止め具をライン上に設けてもよい。あるいは、このような止め具を設けず、ボールが比較的自由にラインに沿って横移動するようにしてもよい。この横移動を使用して、打ったときにボールに加えられるスライスまたはフックの指示をゴルファーに与えることができる。
【００２２】
他の実施形態では、ボールの各側部をクリップ、縫合などによりコードに取り付け、このコードを次いでスイベルを介して往復動ラインに連結させる。この目的を達成する他の構成を採用するは勿論可能である。
【００２３】
ボールは、例えば擬似ゴルフ・ボール、擬似テニス・ボールまたは擬似野球ボールでもよい。
【００２４】
ガイドラインの下端部の高さおよび位置を調節することができる。
【００２５】
前述のように、本発明の技術を上達させる装置の重要な特徴は、ボールがその元の打撃位置またはその付近の位置に自動的に戻ることである。この目的は、以下のようにして達成されると考えられる。ボールを打つと、往復動ラインは広がるガイドラインに沿って迅速に移動する。この広がりにより、各弾力性ガイドラインは往復動ラインによって伸張され、ガイドラインにより往復動ライン上に加えられる張力が後者を静止させる地点に達するまで、もう一方のガイドラインに向かって内側に移動する。到達した時点で、各ガイドラインの位置エネルギーによって運動反力が生じ、この運動反力が伸びた各ガイドラインをその元の長さに戻らせようとし、往復動ラインを広がるガイドラインに沿ってボールの初期打撃位置に進ませる。反力は通常、次式によって決定される。
【００２６】
【数１】
2004513753.tif 000003
【００２７】
式中、ｍｇｈは位置エネルギー、（１／２）ｍｖ２は運動エネルギー、（１／２）ＣΔｌ２は弾力性エネルギーである（他の力は無視する）。
【００２８】
【発明の実施の形態】
次に、図面を参照して、本発明を単に例として以下に説明する。
【００２９】
各図において、同一または類似した構成要素には同一の参照番号を使用した。
【００３０】
図１、２に示す装置は、ゴルフ練習補助器具の形をしている。この装置は、プラスチックコーティングされた単層または多層フィラメント弾力性コードからなる２つの張力がかかったガイドライン１を備え、このガイドラインは、それぞれ一方の端部が持ち上げられた支柱２に取り付けられ、他方の端部が駆動マット４から直立する固定されたガイドライン・スペーサ３を介して地面に設置された巻取機構５に取り付けられる。ガイドラインは、図１、２に伸張していない位置で実線で示され、伸張した位置で破線で示されている。図１、２の実施形態では、複数のガイドラインは並んで配置され、複数のガイドライン間の距離は地表面上の高さが増加するにしたがって徐々に増加する。
【００３１】
支柱２は、地面に係合する支柱によって定位置に保持され、各支柱の高さは調節可能である。支柱２を垂直に保持し、ガイドライン１の緊張に抵抗するための張力ライン（図示せず）を設ける。剛性クロス・バー６が複数の支柱２間に延び、その間の間隔を決定する。クロス・バー６を、必要に応じて支柱２に対して低い高さに配置することができる。
【００３２】
図示する支柱２およびクロス・バー６の配置は、適切な支持構造の単なる一例である。もちろん、他の構造を利用することもできる。したがって、この構造は単に、クロス・バーを支持する簡単な直立ポスト、またはガイドラインが取り付けられる壁面を備えていてもよい。
【００３３】
ボール７が、ガイドライン１から往復動ライン８によって懸架される。ライン８の各端部はリング９によってガイドラインに結合され、ボール７はこのラインに関してほぼ同軸に配置される（すなわち、ボール軸がライン８の長手方向軸とほぼ同一である）。ボールをラインに対して回転させることが可能なように、ライン８をボールに取り付けることが好ましい。このような連結の種々の例を、図６から９を参照して、以下に述べる。リングとガイドラインの間の摩擦力を最低限にするように、かつ使用中リングに加えられる力、磨耗、および裂けに耐えるように、リング９の大きさおよび材料を選択する。リング以外の連結を、この目的で使用することもできる。
【００３４】
巻取機構５は、使用中にガイドラインに張力をかけ、使用中でないときにガイドライン１の格納用間隔を提供する。上述のように、ガイドライン１は別々の長さの弾力性コードを備えていても、または別々の長さの単一のコードを備えていてもよい。
【００３５】
スペーサ３はまた、戻るラインおよびボールを静止位置に移動させる止め具としても働く。
【００３６】
この装置のティー・オフ位置を図１に示す。この位置では、ボール７はマット４上にある。ボールを、ティーなどによりマット表面上に持ち上げることができる。図１、２に示すように、ボール７を打つと、現在伸張している弾力性ガイドライン１によりライン８上に加えられる力が、ライン８を位置Ａの止め具に移動させるのに十分になるまで、往復動ライン８をガイドライン１に沿ってその広がる方向Ｂに移動させる。ガイドライン１は比較的伸張していない位置まで戻ろうとするので、むち打ち型の力が生じ、この力によりボールがマット４上の初期位置に戻る（またはほぼ戻る）まで、ライン８およびボール７をガイドライン１に沿ってその広がる方向Ｃに下向きに移動させる。リング９とガイドライン１の間の最小抵抗が、このプロセスを助ける。
【００３７】
図３、４に示す装置は、一方の弾力性ガイドライン１を比較的剛性の非弾力性レール、ロッド、スチール・ケーブルまたはコード１１で置き換えたことを除いて、図１、２の装置と類似している。図３では、左側のガイドラインが比較的剛性があり、図４では右側のガイドラインが比較的剛性があるものである。図３の実施形態は特に、スライスをかけようとするゴルファーに有利であり、図４の実施形態はフックをかけようとするゴルファーに有利である。他の点では、図３、４の実施形態は、図１、２の実施形態とほぼ同じである。
【００３８】
図５は、上記ゴルフ補助器具とともに使用する巻取機構を示す。この機構は、緊張リール１４を格納する地面係合ボックス１２を備える。ガイドライン１は、ボックス表面に形成された開口１５を通ってリール１４に到る。図５から分かるように、ボックスの上部表面はボール７用のティー表面として働く。
【００３９】
上述のように、ボールがラインに対して回転することができるようにボール７を往復動ライン８と連結させ、それによりボールを打つことに伴うラインのねじれをなくしまたは実質的に減少させることが好ましい。
【００４０】
図６では、ボール７にはライン８が通過する軸方向に延びる穴１６が形成される。この穴の直径は、ボールが回転する際の穴およびラインの向かい合った表面間の摩擦を最低限にするのに十分である。この実施形態では、ボールは矢印Ｄで示すラインに沿って横方向に自由に移動する。このことにより、ゴルファーはボールを中心の左または右に打ったかどうか分かる。
【００４１】
図７では、止め具１７は、ボールの横移動を抑止するようにライン８によって担持される。このような止め具を、ボール周面の近くまたはそこから離れて配置することができる。止め具１７の位置は調節可能である。
【００４２】
図８に図示する実施形態では、ライン８は、ボール７がその周りに回転することができる比較的堅い中心部分１８を含む。したがって、このラインは堅い部分１８によって互いに連結された２つの端部長さ部分８を備える。この部分１８は環状端部１９によって長さ部分８に連結され、例えば金属で製造することができる。
【００４３】
図９では、ボール７はライン８に直接固定され、このラインはスイベル連結部２０によりリング９に回転可能に連結される。
【００４４】
ライン８および／またはガイドライン１に対してボールが回転することができる、別のボールの連結方法を設けることができる。
【００４５】
図１０、１１を参照すると、図示する装置は、例えば野球およびテニス選手の技術を上達させるのに特に有用である。これらの実施形態では、複数のガイドライン１は前述の実施形態の横並びの代わりに上下に配置される。図１０では、各ガイドライン１は弾力性の材料で製造され、図１１では、下側ガイドライン１は弾力性があり、上側ガイドライン１１は比較的剛性がある。下側ガイドラインは、ライン８が打者まで戻る際の摩擦力を最低限にするように、地面上にまたは地面からわずかに離れて配置することが好ましい。往復動ライン８上のボール７の位置を、摺動可能スリーブ２３により変更することができる。したがって、単にスリーブを上向きまたは下向きに摺動させることにより、使用者の身長の差に対応するように、地表面上のボールの高さを容易に変更することができ、ボールはスリーブの上縁部に置かれる。他の摺動可能な形状の装置をこの目的で使用することができる。その他の点では、この装置は、ガイドライン１の両端部がポストなどにより地表面上に支持されることを除いて、前述の装置と同様である。図１０に示すように、張力リール５は、複数の支持ポストの１つによって担持することができる。
【００４６】
使用中、競技者２１がボール７を打って、ボールをガイドラインに沿って広がる方向Ｂに移動させる。ライン８が位置Ａに到達すると、ラインは静止し、伸張した１本または２本のラインがボールをガイドラインに沿ってその広がる方向Ｃに進める際に放出されるエネルギーにより、競技者の所まで戻る。ボールは、競技者がもう一度打つ前に、止め具２２によって静止することができる。あるいは、止め具を取り除き、または競技者がボールを静止する前に打つことを余儀なくされるように配置してもよい。
【００４７】
前述は、単に本発明の実施形態を例示したものであり、添付の特許請求の範囲に記載の本発明の範囲から逸脱することなく、容易に修正を加えられることが理解できよう。
【図面の簡単な説明】
【図１】
本発明による装置の側部斜視図である。
【図２】
本発明による装置の平面図である。
【図３】
本発明による他の装置の上面図である。
【図４】
本発明による他の装置の上面図である。
【図５】
図１に示す装置の詳細斜視図である。
【図６】
本発明による装置の往復動ラインへのボールの他の取付け方法を示す図である。
【図７】
本発明による装置の往復動ラインへのボールの他の取付け方法を示す図である。
【図８】
本発明による装置の往復動ラインへのボールの他の取付け方法を示す図である。
【図９】
本発明による装置の往復動ラインへのボールの他の取付け方法を示す図である。
【図１０】
本発明による他の装置の側面図である。
【図１１】
本発明による他の装置の側面図である。
【国際公開パンフレット】
2004513753.tif 000004
2004513753.tif 000005
2004513753.tif 000006
2004513753.tif 000007
2004513753.tif 000008
2004513753.tif 000009
2004513753.tif 000010
2004513753.tif 000011
2004513753.tif 000012
2004513753.tif 000013
2004513753.tif 000014
2004513753.tif 000015
2004513753.tif 000016
2004513753.tif 000017
2004513753.tif 000018
2004513753.tif 000019
2004513753.tif 000020
2004513753.tif 000021
【国際調査報告】
2004513753.tif 000022
2004513753.tif 000023
2004513753.tif 000024